(57)【特許請求の範囲】
【請求項１】
背もたれを、その外形を構成するメインフレームと、人の身体を受けるために前記メインフレームに張った支持シートと、前記支持シートの裏側においてメインフレームに連設されたサブフレームとを備えた構成としており、
前記サブフレームと支持シートとの間に、着座した人がもたれ掛かって支持シートが伸び変形してもサブフレームに当たらない間隔が空いており、
更に、前記支持シートの裏側に、着座した人の腰部を支持するランバーサポートが配置されており、前記ランバーサポートは支持ベースを介してサブフレームで支持されている、
という椅子であって、
前記サブフレームは上下長手の形態である一方、
前記ランバーサポートは、その下端がメインフレームの下部で下降動不能に保持されていて着座した人の腰に当たる腰支持部が前後動するようになっており、更に、前記サブフレームには、前記ランバーサポートを支える支持ベースが、当該支持ベースが下向き移動するとランバーサポートの腰支持部を前進させて上向き移動すると腰支持部を後退させるように取り付けられている、
椅子。
【請求項２】
前記サブフレームは左右２本あって両者は左右対称に配置されており、これら左右サブフレームは、上端から下方に向けて互いの間隔が徐々に小さくなるように傾斜していると共に、下端からやや上方の部位で最も間隔が小さくなるようにくびれた状態になっている一方、
前記支持ベースは、左右サブフレームの間隔の狭まるのにつれてサブフレームからの前向き突出寸法が大きくなる変形許容部を有しており、この支持ベースの変形許容部でランバーサポートを後ろから支持している、
請求項１に記載した椅子。
【請求項３】
背もたれを、その外形を構成するメインフレームと、人の身体を受けるために前記メインフレームに張った支持シートと、前記支持シートの裏側においてメインフレームに連設されたサブフレームとを備えた構成としており、
前記サブフレームと支持シートとの間に、着座した人がもたれ掛かって支持シートが伸び変形してもサブフレームに当たらない間隔が空いており、
更に、前記支持シートの裏側に、着座した人の腰部を支持するランバーサポートが配置されており、ランバーサポートは支持ベースを介してサブフレームで支持されている、
という椅子であって、
前記サブフレームは上下長手のものが左右２本あって両者は対称に配置されており、かつ、左右サブフレームは支持ベースが取り付く部分が平行部になっている一方、
前記支持ベースは、左右サブフレームの平行部に手前側から嵌まっていて左右動不能及び上下動可能に保持されており、前記支持ベースにはその裏側から回転操作できる調節ボルトがねじ込まれており、前記ボルトでランバーサポートを押圧している、
椅子。
【発明の詳細な説明】
【０００１】
【発明の属する技術分野】
本発明は、フレーム構造の背もたれを有する椅子に関するものである。
【０００２】
【従来の技術】
背もたれをフレーム構造とした椅子は、フレームを金属パイプ（スチールパイプ）で構成したものと、フレームを合成樹脂で構成したものとに大別される。
【０００３】
金属パイプ製の椅子の場合は、座体の四隅に棒状の脚を設けて、積み重ねできる構造（スタッキング構造）にしていることが多い。他方、フレームを合成樹脂製としたものの例は例えば特表平８−５０７９３５号公報に記載されており、このものは、通常の事務用椅子と同様に、座体及び背もたれは、放射状に延びる脚杆を備えた脚体で支持されている。
【０００４】
そして、フレーム構造の椅子では、フレームの素材とは関係なく、着座した人の身体を受けるため、フレームにネット状等の支持シートを張っている。支持シートとしてネット（網地）を使用すると、通気性に優れていると共に、クッション性も長期にわたって維持できる利点がある。
【０００５】
【発明が解決しようとする課題】
従来のフレーム構造の背もたれ又は座体は、着座による荷重で支持シートが伸び変形するのを許容するため、フレームを単なるループ状に形成しているに過ぎない場合が殆どである。
【０００６】
しかし、このようにフレームを単なるループ状に形成したに過ぎない構成では、フレームの強度（剛性）を向上し難いという問題があった。
【０００７】
他方、事務用等の椅子において、腰椎を支えるランバーサポートを背もたれに設けることが提案されており、その一例として前記特表平８−５０７９３５号公報では、支持シートの裏側にランバーサポートを配置し、このランバーサポートの左右端部をフレームの左右側部に固定することが開示されている。
【０００８】
しかし、この特表平８−５０７９３５号公報の構造では、ランバーサポートはその左右両端をフレームに固定できる形状でなければならないため、ランバーサポートの形状の自由性がなく、また、人の身体に応じてランバーサポートの前後位置を調節することも困難であるという問題があった。
【０００９】
本発明は、これらの現状を改善することを目的とするものである。
【００１０】
【課題を解決するための手段】
本願発明は、「背もたれを、その外形を構成するメインフレームと、人の身体を受けるために前記メインフレームに張った支持シートと、前記支持シートの裏側においてメインフレームに連設されたサブフレームとを備えた構成としており、前記サブフレームと支持シートとの間に、着座した人がもたれ掛かって支持シートが伸び変形してもサブフレームに当たらない間隔が空いており、更に、前記支持シートの裏側に、着座した人の腰部を支持するランバーサポートが配置されており、前記ランバーサポートは支持ベースを介してサブフレームで支持されている」、という基本構成の椅子に関する。
そして、請求項１では、前記サブフレームは上下長手の形態である一方、前記ランバーサポートは、その下端がメインフレームの下部で下降動不能に保持されていて着座した人の腰に当たる腰支持部が前後動するようになっており、更に、前記サブフレームには、前記ランバーサポートを支える支持ベースが、当該支持ベースが下向き移動するとランバーサポートの腰支持部を前進させて上向き移動すると腰支持部を後退させるように取り付けられている。
【００１１】
請求項２の発明は、請求項１において、前記サブフレームは左右２本あって両者は左右対称に配置されており、これら左右サブフレームは、上端から下方に向けて互いの間隔が徐々に小さくなるように傾斜していると共に、下端からやや上方の部位で最も間隔が小さくなるようにくびれた状態になっている一方、
前記支持ベースは、左右サブフレームの間隔の狭まるのにつれてサブフレームからの前向き突出寸法が大きくなる変形許容部を有しており、この支持ベースの変形許容部でランバーサポートを後ろから支持している。
【００１２】
請求項３の発明では、前記基本構成において、前記サブフレームは上下長手のものが左右２本あって両者は対称に配置されており、かつ、左右サブフレームは支持ベースが取り付く部分が平行部になっている一方、
前記支持ベースは、左右サブフレームの平行部に手前側から嵌まっていて左右動不能及び上下動可能に保持されており、前記支持ベースにはその裏側から回転操作できる調節ボルトがねじ込まれており、前記ボルトでランバーサポートを押圧している。
【００１３】
【発明の作用・効果】
本願発明によると、サブフレームがリブ効果を発揮してフレーム全体の強度（剛性）を向上でき、しかも、着座した人のもたれ掛かりによって支持シートが伸び変形しても、サブフレームに当たることはない。
【００１４】
したがって、本願発明によると、シートの伸び変形によるクッション性を損なうことなく、背もたれを頑丈な構造にすることができる。
【００１５】
また、サブフレームは支持シートの裏側に突出しているため、背もたれのサブフレームは、椅子を移動させるに際しての把持部として利用したり、背支柱への取付け部として利用したり、或いは、裏カバーの取付け部として利用するなど、様々の用途に利用することも可能になる。
【００１６】
また、ランバーサポートはサブフレームで裏側から支持されるため、ランバーサポートの正面形状や断面形状には制約がなくなり、このため、ランバーサポートの形状のデザインの自由性を向上できる。
【００１７】
更に、ランバーサポートの前後位置を調節できるため、着座する人の体格や好みの違いに応じて、的確な支持状態を確保することができる。この場合、支持シートは伸び変形し得るため、ランバーサポートの前進動を阻害することはなく、ランバーサポートで人の腰を的確に支えることができる。
【００１８】
【発明の実施形態】
次に、本発明の実施形態を図面に基づいて説明する。
【００１９】
(1).第１実施形態（図１〜図10）
図１〜図１０では第１実施形態を示しており、このうち図１は、椅子の構成要素である座体１と背もたれ２だけの一部破断概略斜視図である。
【００２０】
座体１及び背もたれ２とも、合成樹脂製のフレーム３′，３とこれに張ったネット状の支持シート４′，４とを備えている。本実施形態では、座体１と背もたれ２とのフレーム３′，３は別体に構成しており、背もたれ２のフレーム３を座体１又は座受け部材（図示せず）に固定するように構成しているが、両者を一体成形することも可能である。
【００２１】
脚体は図面では表示してないが、様々の形態を採用できる。例えば、脚体を、座体１の四隅箇所又は左右量側部から斜め下向きに延びる形態とすることにより、椅子を積み重ねできる形態としても良いし、或いは、放射状の脚杆を備えると共にガスシリンダを内蔵した形態としても良い。
【００２２】
以下、図２以下の図面に基づいて背もたれ２を詳細を説明する。
【００２３】
≪フレーム≫
図２（Ａ）は背もたれ２の一部破断正面図、図２（Ｂ）は同じく右側面図、図３は平面図、図４のうち（Ａ）は図２（Ａ）の IVA-IVA視部分断面図、（Ｂ）は部材を分離した状態での側面図である。
【００２４】
背もたれ２のフレーム３は、逆台形状のループ状に形成されたメインフレーム３ａと、メインフレーム３ａの上辺と下辺とに連設した上下長手の２本のサブフレーム３ｂとから成っており、メインフレーム３ａの下辺には取付け部３ｃを下向き突設している。
【００２５】
図２（Ｂ）に示すように、メインフレーム３ａは側面視で後ろ向き凹状に緩く環曲しており、また、平面視で前向き凹状に緩く湾曲している。
【００２６】
図４（Ａ）に示すように、メインフレーム３ａには、支持シート４を固定するための溝条４が全周にわたって延びるように形成されている。この溝条５は、メインフレーム３ａの左右側部と上辺部とでは後ろ向きに開口しており、下辺部では下向きに開口している。
【００２７】
支持シート４は例えば合成樹脂製の紐状繊維を素材として織り上げたもので、縦横の繊維は互いに重合する箇所で溶着されている。そして、この支持シート４の周縁をメインフレーム３ａの溝条５の底面に溶着し、かつ、溝条５にはシール剤を充填している。なお、支持シート４は他の手段でメインフレーム３ａに固定しても良い。
【００２８】
サブフレーム３ｂはメインフレーム３ａの中心線を挟んだ両側に対称状に配置されており、正面視で外向き凹状に緩く湾曲している。そして、下部の曲率が大きく、上部の曲率が小さくなるように湾曲しており、かつ、上端から下方に向けて間隔が徐々に小さくなるように傾斜しており、更に、下端からやや上方の部位で最も間隔が小さくなるようにくびれた状態になっている。
【００２９】
着座した人が背もたれ２にもたれ掛かると、支持シート４は人の背で押されて伸び変形するが、サブフレーム３ｂは、支持シート４が伸び変形しても当たらないように、支持シート４よりも後方に位置している。
【００３０】
換言すると、支持シート４とサブフレーム３ｂとの間には大きな空間が空いており、この空間を利用してランバーサポート機構を設けている。次に、この点を図５〜図７も参照して説明する。
【００３１】
≪ランバーサポート機構≫
図５のうち（Ａ）は図４（Ｂ）のVA−VA視図、（Ｂ）（Ｃ）はそれぞれ（Ａ）のＢ−Ｂ視、Ｃ−Ｃ視断面図、図６は図２（Ａ）のVI−VI視断面図、図７は図２（Ａ）の VII-VII視断面図である。
【００３２】
図２（Ａ）や図４（Ｂ）に示すように、ランバーサポート機構は、支持シート４に近いものから順に、側面視で前向き凸状に緩く湾曲したランバーサポート６と、上下幅の小さい中間支持体７と、左右のサブフレーム３ｂに取付けられた支持ベース８とを備えている。
【００３３】
ランバーサポート６はポリプロピレン等の合成樹脂製であり、撓み変形し得る。また、ランバーサポート６の下端には、落下防止のため、メインフレーム３ａの下辺に当たる足部６ａを設けている。なお、ランバーサポート６は人の腰にフィットするように、平面視においても緩く湾曲させた形態としても良い。
【００３４】
中間支持体７はゴム等の弾性体から成っており、ランバーサポート６の上下略中間部に接着等によって固定している。また、中間支持体７の後面には硬質の板７ａを張っている。
【００３５】
例えば図５〜図７に示すように、支持ベース８は合成樹脂板や金属板（板ばね）のような部材から成っており、平面視で前向き凸状に湾曲した変形許容部８ａと、その左右両端に一体に連設した内向き部８ｂとを備えており、内向き板部８ｂに、左右のサブフレーム３ｂに内側から嵌合する鉤状ガイド部８ｃを折曲げ形成している。
【００３６】
鉤状ガイド部８ｃは左右外側に張り出しており、鉤状ガイド部８ｃをねじ９で締め付けることにより、支持ベース８を移動不能の状態に保持できる。符号１０で示す部材は、硬質ゴム製等のスペーサである。
【００３７】
内向き板部８ｂは、リブ等によって撓み変形しないように構成されている。また、支持ベース８において、内向き板部８ｂは上下全長にわたって延びている。他方、鉤状ガイド部８ｃは内向き板部８ｂの上部のみに形成されている。これは、鉤状ガイド部８ｃがサブフレーム３ｂに沿ってスムースに上下動することを可能ならしめるためである（鉤状ガイド部８ｃの長さが長すぎると、サブフレーム３ｂの湾曲部でつかえて上下動できない）。
【００３８】
≪作用≫
図８は支持ベース８を下向き移動させた状態での一部破断正面図、図９は図８のIX−IX視断面図、図１０は図９の X-X視断面図である。
【００３９】
これらの図に示すように、支持ベース８をサブフレーム３ｂに沿って下向きにずらすと、左右内向き板部８ｂの間隔が狭まるために変形許容部８ａの曲率が大きくなり、このため、変形許容部８ａが前向きに突き出され、その結果、中間支持体７を介してランバーサポート６の腰支持部が前進する。
【００４０】
この場合、支持シート４は伸び変形し得るため、ランバーサポート６の腰支持部は、支持シート４を伸び変形させながら前進動する。このため、着座した人の腰にフィットする前後位置にランバーサポート６の腰支持部を位置させることができる。また、サブフレーム３ｂをランバーサポート機構に兼用しているため、簡単な構造でランバーサポート６を前後移動調節することができる。
【００４１】
なお、支持ベース８は、人の身体の押圧力が作用しても後方に倒れることなく、ランバーサポート６を安定した状態に保持できる強度に設定されている。
【００４２】
本実施形態のように、弾性体からなる中間支持体７を介してランバーサポート６を押すと、クッション機能を向上できると共に、ランバーサポート６の一部だけに押圧力が集中的に掛かることによる突っ張り感をなくすことができる利点である。
【００４３】
また、本実施形態のように、左右サブフレーム３ｂの間隔を徐々に異ならせて、この間隔の変化と支持ベース８の弾性変形とを利用してランバーサポート６を前進動させる構成にすると、構造がより簡単になる利点がある。また、ランバーサポート機構を背もたれ自体に設けているため、背もたれ２の後傾姿勢とは関係なくランバーサポート６は調節した位置に一定に保持される。したがって、ロッキング式の椅子であっても、腰を適切な状態で支持し続けることができる。
【００４４】
ランバーサポート６は図示のような板状に形成することには限らず、ゴムでブロック状に形成するなど、素材及び形状（正面形状、平面形状、断面形状）とも様々に設定できる。ランバーサポート６を板状に形成する場合、その厚さを上下方向又は左右方向に若しくは両方向に向けて変化させて、場所によって弾性係数を変化させても良い。
【００４５】
図では簡略化のためメインフレーム３ａ及びサブフレーム３ｂとも断面円形に形成しているが、メインフレーム３ａ及びサブフレーム３ｂは、楕円形や角形、涙滴形などの様々の断面形状とすることができる。
【００４６】
(2).第２実施形態（図11）
図１１では第２実施形態を示している。（Ａ）は一部破断正面図、（Ｂ）は（Ａ）のＢ−Ｂ視断面図、（Ｃ）はランバーサポート機構を構成する部材の分離側面図、（Ｄ）は（Ａ）のＤ−Ｄ視断面図である。
【００４７】
この実施形態では、左右のサブフレーム３ｂの上下中途部は鉛直状に延びるように形成されており、このため、左右のサブフレーム３ｂはその中途部において平行に延びている。
【００４８】
他方、ランバーサポート６は撓み変形可能な板状に形成されており、側面視で前向き凸状に緩く湾曲している。ランバーサポート６の下端には、メインフレーム３ａの下辺に設けた係合部（突起）１１に嵌まる係止部（凹部）６ｂが形成されており、このため、ランバーサポート６の下部は後ろ向きずれ不能に保持されている。
【００４９】
また、ランバーサポート６の上部には、左右サブフレーム３ｂにおける平行部の間に嵌まり込む平面視凸形でブロック状のガイド部６ｃを後ろ向きに突設している一方、サブフレーム３ｂに支持ベース１２を後方から重ね合わせ、支持ベース１２に貫通したねじ１３をガイド部６ｃにねじ込むことにより、ガイド部６ｃと支持ベース１２とでサブフレーム３ｂを挟み固定している。
【００５０】
この場合、サブフレーム３ｂの後面に側面視で細かいピッチの凹凸１４を形成する一方、支持ベース１２のうちサブフレーム３ｂと重なる面にも凹凸１５を形成し、これらの凹凸１４，１５を噛み合わせることにより、支持ベース１２及びガイド部６ｃのずれを防止している。なお、凹凸１４，１５は鋸歯状でも良い。また、凹凸以外のずれ防止手段を採用しても良い。
【００５１】
この実施形態では、支持ベース１２及びガイド部６ｃの位置を下方にずらすと、（Ｂ）に一点差線で示すように、ランバーサポート６はその曲率が小さくなって前向きに突き出る（人の腰に当たる腰支持部が前進する）。
【００５２】
この実施形態の場合、着座した人の腰の押圧力によってランバーサポート６は多少は撓み変形するため、ランバーサポート６自体によってもクッション性を得ることができる。
【００５３】
(3).第３実施形態（図12〜図13）
図１２〜図１３では第３実施形態を示している。図１２は一部破断正面図、図１３のうち（Ａ）は図１２のＡ−Ａ視部分断面図、（Ｂ）は図１２のＢ−Ｂ視部分断面図である。
【００５４】
この実施形態では、ランバーサポート６は板材で側面視前向き凸状に形成されており、その上下中間部の後面に、ブロック状のガイド部６ｃを一体成形又は固着によって設けている。ガイド部６ｃの後面は側面視で前傾状の傾斜面になっている。
【００５５】
他方、左右のサブフレーム３ｂは全体として平行に延びるように形成されており、この左右サブフレーム３ｂを、手前側に位置した前支持ベース８と後ろ側に位置した後支持ベース１２とで挟み付けている。前支持ベース８の左右中間部に前向き突出部８ａを設け、この前向き突出部８ｄの前面を、前記ランバーサポート６におけるガイド部６ｃの後面と密着する傾斜面としている。
【００５６】
この実施形態では、ねじ１３を緩めて前後支持ベース８，１２を下方にずらすと、前支持ベース８の前向き突出部８ｄとランバーサポート６のガイド部６ｃとの傾斜面のくさび作用により、ランバーサポート６は前方に押し出される。
【００５７】
この第３実施形態の場合も、第２実施形態と同様に、前後支持ベース８，１２をずれ不能に保持するため、凹凸等のずれ防止手段を設けるのが好ましい。
【００５８】
(4).第４実施形態（図14〜図15）
図１４〜図１５では第４実施形態を示している。図１４は一部破断正面図、図１５は図１３のXV−XV視断面図である。
【００５９】
この実施形態では、左右サブフレーム３ｂの平行部に前方から支持ベース８を重ね合わせ、この支持ベース８に形成したナット部１６に後方から調節ボルト１７をねじ込み、調節ボルト１７でランバーサポート６を押圧している。
【００６０】
ランバーサポート６には、調節ボルト１７に嵌まる筒部７ｂを有する中間支持体７を固着しており、このため、ランバーサポート６は調節ボルト１７によって落下不能に保持されている。
【００６１】
他方、支持ベース８はサブフレーム３ｂに前方から（手前側から）嵌るように形成されており、このため、左右にずれることなく安定した状態に保持される。また、支持ベース８は上下動させることができるため、シートの腰の高さに合わせてランバーサポート６を上下動させることができる。
【００６２】
調節ボルト１７の後端には円板状の摘まみ１７ａを設けており、この摘まみ１７ａを摘んで調節ボルト１７を支持ベース８にねじ込むことにより、ランバーサポート６の前後位置を調節することができる。このようにねじ式の調節機構を採用すると、ランバーサポート６の前後位置を簡単に調節できると共に、ランバーサポート６を後退不能の安定した状態に保持できる利点がある。
【００８６】
(5).その他
本発明は上記以外にも様々の態様に具体化できる。
【００８７】
サブフレームと支持シートとの間にばねやクッション等の弾性体を配置し、支持シートに作用した荷重を、弾性体を介してサブフレームで支持しても良い。
【００８８】
また、支持シートは図示のようなネット状のものには限らず、布や強靱な不織布など、様々の素材や構造のものを使用できる。支持シートの上面にクッション材を張ることも可能である。
【図面の簡単な説明】
【図１】第１実施形態の概略斜視図である。
【図２】（Ａ）は正面図、（Ｂ）は右側面図である。
【図３】平面図である。
【図４】（Ａ）は図２（Ａ）の IVA-IVA視断面図、（Ｂ）は分離側面図である。
【図５】（Ａ）は図４（Ａ）のVA−VA視図、（Ｂ）は（Ａ）のＢ−Ｂ視断面図、（Ｃ）は（Ａ）のＣ−Ｃ視断面図である。
【図６】図２（Ａ）のVI−VI視断面図である。
【図７】図２（Ａ）の VII-VII視断面図である。
【図８】作用を示す一部破断部分正面図である。
【図９】図８のIX−IX視断面図である。
【図10】図９の X-X視断面図である。
【図11】第２実施形態を示す図である。
【図12】第３実施形態の一部破断正面図である。
【図13】図１２の断面図である。
【図14】第４実施形態の一部破断正面図である。
【図15】図１４のXV−XV視断面図である。
【符号の説明】
２  背もたれ
３  フレーム
３ａ  メインフレーム
３ｂ  サブフレーム
４  支持シート
６  ランバーサポート
７  中間支持体
８，１２  支持ベース
１７  調節ボルト
１９  リング
【図１】
0004021121.tif 000002
【図２】
0004021121.tif 000003
【図３】
0004021121.tif 000004
【図４】
0004021121.tif 000005
【図５】
0004021121.tif 000006
【図６】
0004021121.tif 000007
【図７】
0004021121.tif 000008
【図８】
0004021121.tif 000009
【図９】
0004021121.tif 000010
【図１０】
0004021121.tif 000011
【図１１】
0004021121.tif 000012
【図１２】
0004021121.tif 000013
【図１３】
0004021121.tif 000014
【図１４】
0004021121.tif 000015
【図１５】
0004021121.tif 000016